(57)【要約】【課題】画像不良を防止することができるシート搬送装置及び画像形成装置を提供する。【解決手段】シート搬送装置は、紙粉回収ローラ５２ａの表面５２ｂに第１位置Ａにおいて当接する紙粉回収パッド５４と、矢印Ｒ１方向における搬送ニップＮ１の下流かつ第１位置Ａの上流である第２位置Ｂにおいて紙粉回収ローラ５２ａの表面５２ｂに当接可能な逆流防止パッド５５を備える。また、シート搬送装置は、逆流防止パッド５５を紙粉回収ローラ５２ａの表面５２ｂに対して接離させる接離機構５６を備える。接離機構５６は、開閉扉が閉じられた閉状態において、逆流防止パッド５５を紙粉回収ローラ５２ａの表面５２ｂから離間させ、開閉扉が開かれた開状態において、逆流防止パッド５５を紙粉回収ローラ５２ａの表面５２ｂに当接させる。【選択図】図３
2020011820.tif 000002
【特許請求の範囲】
【請求項１】
装置本体と、
前記装置本体に開閉可能に支持される開閉部材と、
回転体と、前記回転体に対して前記回転体と共に搬送ニップを形成する対向部材と、を有し、前記回転体が第１方向に回転する際に前記搬送ニップにおいてシートを搬送する搬送部と、
前記回転体の表面に第１位置において当接する第１当接部材と、
前記第１方向における前記搬送ニップの下流かつ前記第１位置の上流である第２位置において前記回転体の前記表面に当接可能な第２当接部材と、
前記第２当接部材を前記回転体の前記表面に対して接離させる接離機構と、を備え、
前記接離機構は、前記開閉部材が閉じられた第１状態において、前記第２当接部材を前記回転体の前記表面から離間させ、前記開閉部材が開かれた第２状態において、前記第２当接部材を前記回転体の前記表面に当接させる、
ことを特徴とするシート搬送装置。
【請求項２】
前記開閉部材は、前記第１状態において前記装置本体が備える開口部を覆い、前記第２状態において前記開口部を露出させる、
ことを特徴とする請求項１に記載のシート搬送装置。
【請求項３】
装置本体と、
前記装置本体に対して装着及び引出し可能に設けられ、シートを収納するシート収納部と、
回転体と、前記回転体に対して前記回転体と共に搬送ニップを形成する対向部材と、を有し、前記回転体が第１方向に回転する際に前記搬送ニップにおいて、前記シート収納部に収納されたシートを搬送する搬送部と、
前記回転体の表面に第１位置において当接する第１当接部材と、
前記第１方向における前記搬送ニップの下流かつ前記第１位置の上流である第２位置において前記回転体の前記表面に当接可能な第２当接部材と、
前記第２当接部材を前記回転体の前記表面に対して接離させる接離機構と、を備え、
前記接離機構は、前記シート収納部が前記装置本体に装着された第１状態において、前記第２当接部材を前記回転体の前記表面から離間させ、前記シート収納部が前記装置本体から引出された第２状態において、前記第２当接部材を前記回転体の前記表面に当接させる、
ことを特徴とするシート搬送装置。
【請求項４】
前記接離機構は、前記第２当接部材を移動させるアクチュエータを有し、
前記第１状態及び前記第２状態を検出する状態検出部と、
前記状態検出部により検出される状態に基づいて、前記アクチュエータを制御する制御部と、を備える、
ことを特徴とする請求項１乃至３のいずれか１項に記載のシート搬送装置。
【請求項５】
前記搬送部は、シートの先端が前記搬送ニップに突き当てられることでシートの斜行を補正する、
ことを特徴とする請求項１乃至４のいずれか１項に記載のシート搬送装置。
【請求項６】
前記第２当接部材は、前記装置本体及び前記シート収納部のいずれか一方に支持され、
前記接離機構は、前記装置本体に対して移動可能に支持されると共に、前記第２当接部材を支持する支持部と、
前記支持部を前記回転体の前記表面に向けて付勢する付勢部と、
前記装置本体及び前記シート収納部のいずれか他方に支持され、前記第１状態において前記支持部を押圧して、前記第２当接部材が前記回転体の前記表面に当接することを規制する押圧部と、を有し、
前記支持部は、前記第２状態において、前記押圧部から離間し、前記付勢部の付勢力により前記第２当接部材を前記回転体の前記表面に当接させる、
ことを特徴とする請求項３に記載をシート搬送装置。
【請求項７】
前記回転体、前記支持部及び前記付勢部は、前記シート収納部に支持され、
前記対向部材及び前記押圧部は、前記装置本体に支持される、
ことを特徴とする請求項６に記載のシート搬送装置。
【請求項８】
請求項１乃至７のいずれか１項に記載のシート搬送装置と、
前記シート搬送装置から搬送されたシートに画像を形成する画像形成部と、を備える、
ことを特徴とする画像形成装置。
【発明の詳細な説明】
【技術分野】
【０００１】
本発明は、シートを搬送するシート搬送装置及びこれを備える画像形成装置に関する。
【背景技術】
【０００２】
一般に、電子写真方式のプリンタは、カセットから給送されたシートに対して、感光ドラムに形成されたトナー像を転写し、トナー像をシートに定着させた後にシートを機外に排出する。搬送ローラや分離パッド等の間での擦れによって、シートには紙粉等の付着物が付着することがあり、紙粉が、画像形成部が備える感光ドラムやトナーに付着することで画像品質の低下を招いてしまう。
【０００３】
従来、シートに接触してシート上の紙粉を捕捉する第１紙粉取りローラと、第１紙粉取りローラに付着した紙粉を掻き取る第１スポンジ部材と、を備えた画像形成装置が提案されている（特許文献１参照）。この画像形成装置は、第１紙粉取りローラが正転方向に回転している場合には、第１スポンジ部材によって紙粉が掻き取られるが、第１紙粉取りローラが逆転方向に回転すると、第１スポンジ部材で掻き取った紙粉が搬送路に逆流する虞がある。このため、第１紙粉取りローラの正転方向において、第１スポンジ部材よりも上流で第１紙粉取りローラから紙粉を掻き取る第１逆搬送防止部材が設けられている。第１紙粉取りローラが逆転方向に回転した場合には、第１逆搬送防止部材によって紙粉が掻き取られる。
【０００４】
そして、第１紙粉取りローラと第１逆搬送防止部材との間には、第１紙粉取りローラが正転方向に回転している際に第１スポンジ部材による紙粉の掻き取りを阻害しないように、僅かに隙間が設けられている。この隙間は、第１紙粉取りローラが正転方向に回転している際には、第１スポンジ部材へ向かう紙粉の搬送を許容し、第２紙粉取りローラが逆転方向に回転している際には、ある程度の塊となって搬送路へ向かう紙粉の搬送を制限する。
【先行技術文献】
【特許文献】
【０００５】
【特許文献１】特開２００３−２６７５７９号公報
【発明の概要】
【発明が解決しようとする課題】
【０００６】
しかしながら、特許文献１に記載の第１逆搬送防止部材は、大きな塊となった紙粉の搬送は制限できても、例えばシートの填料などを主成分とする粒度の小さい紙粉は上記隙間をすり抜けてしまうことがある。このため、この隙間をすり抜けた紙粉が感光ドラムやトナーに付着し、画像不良が発生する虞があった。
【０００７】
そこで、本発明は、回転体がシートを搬送する第１方向とは反対方向に回転する可能性がある際に、第２当接部材を回転体の表面に当接させ、上述した課題を解決したシート搬送装置及び画像形成装置を提供することを目的とする。
【課題を解決するための手段】
【０００８】
本発明は、シート搬送装置において、装置本体と、前記装置本体に開閉可能に支持される開閉部材と、回転体と、前記回転体に対して前記回転体と共に搬送ニップを形成する対向部材と、を有し、前記回転体が第１方向に回転する際に前記搬送ニップにおいてシートを搬送する搬送部と、前記回転体の表面に第１位置において当接する第１当接部材と、前記第１方向における前記搬送ニップの下流かつ前記第１位置の上流である第２位置において前記回転体の前記表面に当接可能な第２当接部材と、前記第２当接部材を前記回転体の前記表面に対して接離させる接離機構と、を備え、前記接離機構は、前記開閉部材が閉じられた第１状態において、前記第２当接部材を前記回転体の前記表面から離間させ、前記開閉部材が開かれた第２状態において、前記第２当接部材を前記回転体の前記表面に当接させる、ことを特徴とする。
【０００９】
また、本発明は、シート搬送装置において、装置本体と、前記装置本体に対して装着及び引出し可能に設けられ、シートを収納するシート収納部と、回転体と、前記回転体に対して前記回転体と共に搬送ニップを形成する対向部材と、を有し、前記回転体が第１方向に回転する際に前記搬送ニップにおいて、前記シート収納部に収納されたシートを搬送する搬送部と、前記回転体の表面に第１位置において当接する第１当接部材と、前記第１方向における前記搬送ニップの下流かつ前記第１位置の上流である第２位置において前記回転体の前記表面に当接可能な第２当接部材と、前記第２当接部材を前記回転体の前記表面に対して接離させる接離機構と、を備え、前記接離機構は、前記シート収納部が前記装置本体に装着された第１状態において、前記第２当接部材を前記回転体の前記表面から離間させ、前記シート収納部が前記装置本体から引出された第２状態において、前記第２当接部材を前記回転体の前記表面に当接させる、ことを特徴とする。
【発明の効果】
【００１０】
本発明によると、画像形成部が備える部材に付着物が付着したことに起因する画像不良の発生を抑制することができる。
【図面の簡単な説明】
【００１１】
【図１】第１の実施形態に係るプリンタを示す全体概略図。
【図２】開閉扉が開いた際のプリンタを示す全体概略図。
【図３】（ａ）は開閉扉が閉じている際の斜行補正部を示す断面図、（ｂ）は開閉扉が開いている際の斜行補正部を示す断面図。
【図４】第２の実施形態に係る給送カセットが引出された際のプリンタを示す全体概略図。
【図５】（ａ）は給送カセットが装着されている際の紙粉回収機構を示す断面図、（ｂ）は給送カセットが引出されている際の紙粉回収機構を示す断面図。
【発明を実施するための形態】
【００１２】
＜第１の実施形態＞
〔全体構成〕
まず、本発明の第１の実施形態について説明する。画像形成装置としてのプリンタ１は、モノクロのトナー像を形成する電子写真方式のレーザビームプリンタである。プリンタ１は、図１に示すように、積載されたシートを給送するシート給送装置２０と、シート給送装置２０によって給送されたシートを搬送するシート搬送装置４０と、を備える。シート搬送装置４０は、シートを案内するシート搬送路４１と、シート搬送路４１においてシートを搬送する複数のローラと、シート搬送路４１及びローラを覆う装置本体としてのプリンタ本体２と、を有している。また、プリンタ１は、シート搬送装置４０によって搬送されたシートに画像を形成する画像形成部１０と、シートに転写された画像を定着させる定着装置３０と、シートを排出トレイ３６に排出可能な排出ローラ対３５と、を有している。
【００１３】
プリンタ１に画像形成の指令が入力されると、プリンタ１に接続された外部のコンピュータ等から入力された画像情報に基づいて、画像形成部１０による画像形成プロセスが開始され、制御部１００により画像情報を基にして画像信号が作成される。制御部１００はＣＰＵ１０１と、各部を制御するプログラムを記憶するＲＯＭ１０２ａとデータを一時的に記憶するＲＡＭ１０２ｂとを有するメモリ１０２と、を備えている。ＣＰＵ１０１は、入出力回路を介して、各駆動源及びセンサ等に接続され、各部と信号をやり取りすると共に動作を制御する。
【００１４】
画像形成部１０は、プロセスカートリッジ１２と、レーザスキャナ１１と、転写ローラ１６と、を有している。プロセスカートリッジ１２は、感光ドラム１３と、感光ドラム１３に沿って配置された帯電ローラ１４、現像ローラ１５及び不図示のクリーニングブレードと、を有している。感光ドラム１３及び転写ローラ１６は、転写ニップＴ１を形成している。レーザスキャナ１１は、作成された画像信号に基づいて、感光ドラム１３に向けてレーザ光を照射する。このとき感光ドラム１３は、帯電ローラ１４により予め帯電されており、レーザ光が照射されることで感光ドラム１３上に静電潜像が形成される。その後、現像ローラ１５によりこの静電潜像が現像され、感光ドラム１３上にモノクロのトナー像が形成される。
【００１５】
上述の画像形成プロセスに並行して、シート給送装置２０からシートＳが給送される。シート給送装置２０は、プリンタ本体２に対して装着及び引出し可能であり、シートを収納可能な給送カセット２１を有しており、給送カセット２１に積載されたシートＳの給送方向における下流側は、中板２２によって支持されている。中板２２は、不図示のバネによって上方に付勢されている。中板２２は、シートが１枚給送される毎に不図示のカムによってバネの付勢力に抗して下方に押圧される。中板に支持されたシートＳは、給送ローラ２３によって給送され、給送ローラ２３によって給送されたシートＳは、給送ローラ２３と給送ローラ２３に当接する分離パッド２４とによって１枚ずつに分離される。
【００１６】
シート搬送装置４０は、レジストレーションローラ（レジストローラ）５１と、レジストローラ５１に当接して搬送ニップＮ１を形成する紙粉回収ローラ５２ａと、を有する斜行補正部５０を備える。シートＳは、斜行補正部５０により、先端が搬送ニップＮ１に突き当てられることで斜行が補正されると共に、画像形成部１０における画像形成プロセスの進行に合わせて、転写ニップＴ１へ送り出される。また、斜行補正部５０は、シートＳの表面に付着した付着物としての紙粉を回収する紙粉回収機構５２を有しており、紙粉回収ローラ５２ａが紙粉回収機構５２の一部を構成している。なお、本実施形態において、斜行補正部５０は搬送部を構成し、紙粉回収ローラ５２ａは回転体を構成し、レジストローラ５１は対向部材を構成する。
【００１７】
転写ニップＴ１において、シートＳには、転写ローラ１６に印加される転写バイアスによって、感光ドラム１３上のトナー像が静電転写される。感光ドラム１３上に残った残トナーは、クリーニングブレードによって回収される。トナー像が転写されたシートＳは、定着装置３０に搬送される。定着装置３０では、加熱装置３１および加圧ローラ３２によってシートＳが加熱及び加圧され、シートＳ上のトナー像がシートＳに定着される。定着装置３０を通過したシートＳは、排出ローラ対３５によって排出トレイ３６に排出される。
【００１８】
プリンタ１には、図２に示すように、シートのジャム時においてシート除去作業等を行うために、プリンタ本体２の内部にアクセス可能となるようにプリンタ本体２の内部に連通する不図示の開口部と、開口部を覆う開閉扉３とが設けられている。開閉部材としての開閉扉３は、プリンタ本体２に開閉可能に支持されており、閉じられることで開口部を覆い、開かれることで開口部を露出させる。ユーザーは、開閉扉３を開けることにより、例えば搬送ニップＮ１においてジャムが発生して挟まれたシートを除去することができる。
【００１９】
また、プリンタ１には、開閉扉３の開閉を検出する状態検出部としての開閉検出部６０が設けられている。制御部１００は、開閉検出部６０によって、開閉扉３が閉じている第１状態としての閉状態と、開閉扉３が開いている第２状態としての開状態のうちどちらの状態であるかを判定する。
【００２０】
［紙粉回収機構の詳細］
次に、図３（ａ）及び（ｂ）を参照して、紙粉回収機構５２について詳述する。図３（ａ）は閉状態における斜行補正部５０を示す断面図であり、図３（ｂ）は開状態における斜行補正部５０を示す断面図である。紙粉回収機構５２は、紙粉回収ローラ５２ａと、第１当接部材としての紙粉回収パッド５４と、第２当接部材としての逆流防止パッド５５と、紙粉回収ローラ５２ａの一部、紙粉回収パッド５４及び逆流防止パッド５５を覆うカバー部材５３と、を有している。紙粉回収ローラ５２ａは、表面５２ｂの第１位置Ａにおいて紙粉回収パッド５４と当接しており、印刷時に、シートを搬送する第１方向としての矢印Ｒ１方向に回転して紙粉回収パッド５４に対して摺動することにより帯電する。シートＳと共にシート給送装置２０から搬送される紙粉は、帯電している紙粉回収ローラ５２ａの表面５２ｂに付着することで、シートＳから取り除かれる。表面５２ｂに付着した紙粉は、表面５２ｂと常時接触している紙粉回収パッド５４により掻き取られ、カバー部材５３と内部構成部品との間に設けられた紙粉回収エリアＳ１に回収される。
【００２１】
紙粉回収機構５２は、逆流防止パッド５５が表面５２ｂに対して当接可能に構成されており、表面５２ｂに対して逆流防止パッド５５を接離させる接離機構５６を有している。接離機構５６は、端部５８ａに逆流防止パッド５５が取り付けられると共に、端部５８ａとは反対の端部５８ｂにおいて、軸部５７を介してプリンタ本体２に対して揺動可能に支持された揺動アーム５８を有している。揺動アーム５８は、図３（ａ）に示すように逆流防止パッド５５が表面５２ｂから離間した離間位置と、図３（ｂ）に示すように逆流防止パッド５５が紙粉回収ローラ５２ａに当接する当接位置と、の間で揺動する。揺動アーム５８が当接位置に位置する場合に、逆流防止パッド５５は、矢印Ｒ１方向における搬送ニップＮ１の下流かつ第１位置Ａの上流である第２位置Ｂにおいて表面５２ｂに当接する。また、接離機構５６は、揺動アーム５８を揺動させるアクチュエータ５９を有しており、アクチュエータ５９の動力によって揺動アーム５８を介して逆流防止パッド５５を移動させることが可能に構成されている。
【００２２】
ここで、接離機構５６における動作の詳細について説明する。開閉扉３が閉状態である場合に、揺動アーム５８は、離間位置で停止している。ユーザーが開閉扉３を開き、開閉扉３が開状態となった場合に、制御部１００は、開閉検出部６０により開状態を検出する。制御部１００は、その検出に基づいてアクチュエータ５９を動作させ、揺動アーム５８を当接位置まで矢印Ｒ２方向に移動させることにより、逆流防止パッド５５を表面５２ｂに当接させる。また、ユーザーが開閉扉３を閉じ、開閉扉３が閉状態となった場合に、制御部１００は、開閉検出部６０により閉状態を検出する。制御部１００は、その検出に基づいてアクチュエータ５９を動作させ、揺動アーム５８を離間位置まで移動させることにより、逆流防止パッド５５を表面５２ｂから離間させる。
【００２３】
以上のように、逆流防止パッド５５は、開閉扉３が閉状態である場合に表面５２ｂから離間するので、斜行補正部５０がシートＳを正常に搬送する矢印Ｒ１方向に回転する際に表面５２ｂから離間する。このため、逆流防止パッド５５が紙粉回収パッド５４による紙粉の掻き取り動作を阻害することはない。
【００２４】
また、シートのジャムが発生し、ユーザーが開閉扉３を開けてシート搬送路４１に残るシートを引き抜く場合に、紙粉回収ローラ５２ａは矢印Ｒ１の反対方向に回転する可能性がある。この場合に、紙粉回収パッド５４によって掻き取られた紙粉は、紙粉回収ローラ５２ａに乗って搬送ニップＮ１へ向かうことがある。しかしながら、プリンタ１では、開閉扉３が開状態である場合に、逆流防止パッド５５が表面５２ｂに当接して紙粉回収ローラ５２ａ上の紙粉を確実に除去することができる。なお、逆流防止パッド５５は、表面５２ｂに対して隙間なく当接するので、シートＳに含まれる填料（例えば炭酸カルシウムやタルク）等の粒度の小さい紙粉も掻き取ることができ、紙粉に起因する画像不良を防止することができる。また、紙粉回収ローラ５２ａ上の紙粉が掻き取られることで、搬送ニップＮ１においてシートＳがスリップしてしまうことを低減し、転写ニップＴ１における画像ずれ等の画像不良を防止することができる。
【００２５】
また、逆流防止パッド５５を表面５２ｂに対して接離させる構造は、簡易な機械的及び電気的構成であるので、低コストで信頼性が高い紙粉回収機構５２を提供できる。
【００２６】
なお、第１の実施形態におけるプリンタ１では、アクチュエータ５９によって逆流防止パッド５５が開閉扉３の開閉に連動して移動するように構成されているが、これに限らない。例えば、逆流防止パッド５５は、開閉扉３と機械的に接続されており、開閉扉３の開閉に連動して、紙粉回収ローラ５２ａに接離するように構成されていれば、本実施形態に限らない。
【００２７】
また、逆流防止パッド５５は、開閉扉３の開閉に連動して移動するように構成されているが、プロセスカートリッジ１２の挿入口を開閉可能に閉じる扉の開閉に連動して移動するように構成されていてもよい。逆流防止パッド５５は、印刷時には閉じられる扉が閉じている場合に紙粉回収ローラ５２ａから離間し、その扉が開いている場合に紙粉回収ローラ５２ａに当接するように構成されていれば、本実施形態に限らない。
【００２８】
＜第２の実施形態＞
次いで、本発明の第２の実施形態について説明する。なお、第１実施形態と同様の構成については、図示を省略、又は図に同一符号を付して説明を省略する。プリンタ１には、図１に示すように、シート搬送方向における給送ローラ２３及び分離パッド２４の下流において紙粉回収機構７０が配置されている。紙粉回収機構７０は、図４、図５（ａ）及び図５（ｂ）に示すように、プリンタ本体２に回転可能に支持された搬送ローラ７１と、搬送ローラ７１に当接して搬送ニップＮ２を形成する紙粉回収ローラ７２とを有している。すなわち、紙粉回収機構７０は、給送カセット２１がプリンタ本体２に装着された第１状態としての装着状態において、図１に示すように搬送ニップＮ２を形成する。また、紙粉回収機構７０は、給送カセット２１がプリンタ本体２から引出された第２状態としての引出し状態において、図４に示すように搬送ニップＮ２を解消する。これにより、ユーザーは、給送カセット２１を引出すことにより、例えば搬送ニップＮ２においてジャムが発生して挟まれたシートを除去することができる。なお、本実施形態において、給送カセット２１はシート収納部を構成し、紙粉回収機構７０は搬送部を構成し、搬送ローラ７１は対向部材を構成し、紙粉回収ローラ７２は回転体を構成する。
【００２９】
また、紙粉回収機構７０は、第１当接部材としての紙粉回収パッド７３と、第２当接部材としての逆流防止パッド７４と、逆流防止パッド７４を紙粉回収ローラ７２の表面７２ａに接離させる接離機構７５とを有している。紙粉回収ローラ７２は、表面７２ａの第１位置Ｃにおいて紙粉回収パッド７３と当接しており、印刷時に、シートを搬送する第１方向としての矢印Ｒ３方向に回転して紙粉回収パッド７３に対して摺動することにより帯電する。シートＳと共にシート給送装置２０から搬送される紙粉は、帯電している紙粉回収ローラ７２の表面７２ａに付着することで、シートＳから取り除かれる。表面７２ａに付着した紙粉は、紙粉回収ローラ７２と常時接触している紙粉回収パッド７３により掻き取られる。
【００３０】
接離機構７５は、給送カセット２１に対して移動可能に支持されると共に、逆流防止パッド７４を支持する支持部７６を有している。支持部７６は、端部７８ａが軸部７７に回動可能に支持され、給送カセット２１に対して揺動可能に支持された揺動アーム７８と、端部７９ａが揺動アーム７８に固定された枝部７９とを有している。枝部７９には、端部７９ａとは反対の端部７９ｂにおいて、逆流防止パッド７４が取り付けられている。支持部７６は、図５（ａ）に示すように逆流防止パッド７４が表面７２ａから離間した離間位置と、図５（ｂ）に示すように逆流防止パッド７４が表面７２ａに当接する当接位置と、の間で揺動する。支持部７６が当接位置に位置する場合に、逆流防止パッド７４は、矢印Ｒ３方向における搬送ニップＮ２の下流かつ第１位置Ｃの上流である第２位置Ｄにおいて表面７２ａに当接する。
【００３１】
接離機構７５は、給送カセット２１に支持され、支持部７６を離間位置から当接位置に向かう矢印Ｒ４方向に付勢する付勢部としてのバネ８０を有している。これにより、接離機構７５は、逆流防止パッド７４を紙粉回収ローラ７２の表面７２ａに向けて付勢する。また、接離機構７５は、プリンタ本体２に支持され、揺動アーム７８における端部７８ａとは反対の端部７８ｂに当接可能な押圧部としてのストッパー８１を有している。給送カセット２１が装着状態である場合に、支持部７６は、ストッパー８１に当接して、離間位置から矢印Ｒ４方向に移動することが規制される。すなわち、ストッパー８１は、給送カセット２１が装着状態である場合に、支持部７６を押圧して、逆流防止パッド７４が表面７２ａに当接することを規制する。
【００３２】
以上のように、逆流防止パッド７４は、給送カセット２１が装着状態である場合に紙粉回収ローラ７２の表面７２ａから離間しているので、紙粉回収機構７０がシートＳを正常に搬送する矢印Ｒ３方向に回転する際に表面７２ａから離間する。このため、逆流防止パッド７４が紙粉回収パッド７３による紙粉の掻き取り動作を阻害することはない。
【００３３】
また、給送カセット２１が引出し状態である場合に、紙粉回収ローラ７２は、ユーザーによって矢印Ｒ３の反対方向における力を受け、反対方向に回転する可能性がある。この場合に、紙粉回収パッド７３によって掻き取られた紙粉は、紙粉回収ローラ７２に乗ってシート搬送路４１へ向かうことがある。しかしながら、プリンタ１では、給送カセット２１が引出し状態となった場合に、支持部７６がストッパー８１から離間して、バネ８０の付勢力により逆流防止パッド７４が紙粉回収ローラ７２の表面７２ａに当接する。これにより、逆流防止パッド７４は、紙粉回収ローラ７２上の紙粉を確実に除去することができる。
【００３４】
なお、第２の実施形態におけるプリンタ１は、バネ８０及びストッパー８１を用いた機械的構造によって、給送カセット２１の装着及び引出しに連動して逆流防止パッド７４が移動するように構成されているがこれに限らない。プリンタ１は、給送カセット２１の装着状態及び引出し状態を検出する検出部と、逆流防止パッド７４を移動させるアクチュエータとを備えるように構成されていれもよい。この場合には、検出部の検出結果に基づいてアクチュエータが作動し、逆流防止パッド７４が紙粉回収ローラ７２に接離する。
【００３５】
また、プリンタ１は、搬送ローラ７１及びストッパー８１がプリンタ本体２に支持され、紙粉回収ローラ７２、支持部７６及びバネ８０が給送カセット２１に支持されるように構成されているが、これに限らない。例えば、プリンタ１は、紙粉回収ローラ７２、支持部７６及びバネ８０がプリンタ本体２に支持され、搬送ローラ７１及びストッパー８１が給送カセット２１に支持されるように構成されていてもよい。更に、プリンタ１は、搬送ローラ７１、紙粉回収ローラ７２及びストッパー８１がプリンタ本体２に支持され、支持部７６及びバネ８０が給送カセット２１に支持されるように構成されるように構成されていてもよい。プリンタ１は、プリンタ本体２及び給送カセット２１のいずれか一方に支持部７６及びバネ８０が支持され、他方にストッパー８１が支持されるように構成されていれば、本実施形態に限らない。
【００３６】
また、第１及び第２の実施形態において、紙粉回収パッド５４，７３、逆流防止パッド５５，７８及び接離機構５６，７５は、紙粉回収ローラ５２ａ，７２以外の他の回転体の紙粉を除去するために設けられてもよい。例えば、給送ローラ２３及び排出ローラ対３５の紙粉を除去するために設けられてもよい。また、これらの回転体と共に搬送ニップを形成する部材は、ローラやベルト等の回転体に限らず、例えば分離パッド２４のように回転しない部材でもよい。
【００３７】
また、既述のいずれの形態においても、電子写真方式のプリンタ１を用いて説明したが、本発明はこれに限定されない。例えば、ノズルからインク液を吐出させることでシートに画像を形成するインクジェット方式の画像形成装置にも本発明を適用することが可能である。
【符号の説明】
【００３８】
１：画像形成装置（プリンタ）、２：装置本体（プリンタ本体）、３：開閉部材（開閉扉）、１０：画像形成部、２１：シート収納部（給送カセット）、４０：シート搬送装置、５０；搬送部（斜行補正部）、５１：対向部材（レジストレーションローラ、レジストローラ）、５２ａ，７２：回転体（紙粉回収ローラ）、５４，７３：第１当接部材（紙粉回収パッド）、５５，７４：第２当接部材（逆流防止パッド）、５６，７５：接離機構、５９：アクチュエータ、６０：状態検出部（開閉検出部）、７０：搬送部（紙粉回収機構）、７１：対向部材（搬送ローラ）、７６：支持部、８０：付勢部（バネ）、８１：押圧部（ストッパー）、１００：制御部、Ｎ１，Ｎ２：搬送ニップ
【図１】
2020011820.tif 000003
【図２】
2020011820.tif 000004
【図３】
2020011820.tif 000005
【図４】
2020011820.tif 000006
【図５】
2020011820.tif 000007